(57)【特許請求の範囲】
【請求項１】
オリジナル画像データを、Ｎ種類の絵画調のうちいずれかの画調の変換画像データに変換する画像変換手段と、
前記画像変換手段がオリジナル画像データを画調変換する際に使用されるパラメータ群であって、画像データのＲＧＢ成分に対して設定されている絵画調の種類（ｎ）毎の第１のパラメータ群Ｐ（１）〜Ｐ（ｎ）、及び画像データのＹＭＣＫ成分に対して設定されている絵画調の種類（ｎ）毎、且つサイズ（ｓ）毎の第２のパラメータ群Ｐ（ｓ）（１）〜Ｐ（ｓ）（ｎ）を記憶する記憶手段と、
前記オリジナル画像データをリサイズした画像データを表示画面に表示させる表示制御手段と、
プリントサイズを選択させるプリントサイズ選択制御手段と、
前記画像変換手段により変換された変換画像データをプリントさせるためのプリント制御手段と、
前記オリジナル画像データをリサイズした画像データを表示させている前記表示画面にウインドウを表示させ、当該ウインドウを移動させるウインドウ表示制御手段と、
前記ウインドウのサイズを選択するウインドウサイズ選択手段と
を備え、
前記プリント制御手段は、前記プリントサイズ選択制御手段が選択させたプリントサイズに適した前記記憶手段に記憶されている第２のパラメータ群を用いて前記画像変換手段により画調変換された変換画像データのプリント指示を行うとともに、
前記表示制御手段は、前記記憶手段に記憶されている第１のパラメータ群を用いて前記画像変換手段により画調変換された変換画像データを前記表示画面に表示させ、前記ウインドウ表示制御手段により移動され、前記ウインドウサイズ選択手段によりサイズが選択されるウインドウの領域内には前記画調変換手段により変換された変換画像データを表示させ、当該ウインドウの領域外には前記オリジナル画像データをリサイズした画像データを表示させる
ことを特徴とする画像処理装置。
【請求項２】
外部の端末とネットワークを介して接続されるサーバーを含み、前記端末からのプリントの発注要求を受けてオリジナル画像データを絵画調に画調変換し、画調変換後における変換画像データのプリント指示を行うプリント受注装置において、
前記オリジナル画像データを受信する受信手段と、
Ｎ種類の絵画調のうちいずれかの変換画調データを前記端末に指定させる画調指定手段と、
前記端末に表示されているリサイズ画像を前記画調指定手段により指定された絵画調に画調変換する第１の画調変換手段と、
前記第１の画調変換手段で画調変換した変換画像データのプリントサイズを前記端末に指定させるサイズ指定手段と、
前記オリジナル画像データをリサイズしたリサイズ画像を前記端末の表示画面に表示させるとともに、前記第１の画調変換手段で画調変換された変換画像データを該表示画面に移動可能且つサイズ選択可能にウインドウ表示させ、該ウインドウの領域内には前記画調変換手段により変換された変換画像データを表示させ、当該ウインドウの領域外には前記オリジナル画像データをリサイズした画像データを表示させる表示制御手段と、
前記Ｎ種類の絵画調ごとに、且つ、複数のプリントサイズごとに、画像データのＹＭＣＫ成分に対応するパラメータ群を記憶する記憶手段と、
前記記憶手段に記憶されたパラメータ群を用いて、前記オリジナル画像データを前記画調指定手段により指定された画調に画調変換する第２の画調変換手段と、
前記第２の画調変換手段により画調変換した後の変換画像データのプリント指示を他の装置へ行うプリント制御手段と、
を具備したことを特徴とするプリント受注装置。
【請求項３】
前記画調指定手段は、前記表示制御手段が前記表示画面に前記第１の画調変換手段で画調変換された変換画像データを該表示画面に移動可能且つサイズ選択可能にウインドウ表示させ、該ウインドウをスライドさせることにより、前記Ｎ種類の絵画調を順次変更していくことを特徴とする請求項２記載のプリント受注装置。
【請求項４】
オリジナル画像データを、Ｎ種類の絵画調のうちいずれかの画調の変換画像データに変換する画像変換工程と、
前記画像変換手段がオリジナル画像データを絵画調に画調変換する際に使用されるパラメータ群であって、画像データのＲＧＢ成分に対して設定されている絵画調の種類（ｎ）毎の第１のパラメータ群Ｐ（１）〜Ｐ（ｎ）、及び画像データのＹＭＣＫ成分に対して設定されている絵画調の種類（ｎ）毎、且つサイズ（ｓ）毎の第２のパラメータ群Ｐ（ｓ）（１）〜Ｐ（ｓ）（ｎ）を予め記憶する記憶工程と、
前記オリジナル画像データをリサイズした画像データを表示画面に表示させる表示制御工程と、
プリントサイズを選択させるプリントサイズ選択制御手段と、
前記画像変換手段により変換された変換画像データをプリントさせるためのプリント制御工程と、
前記オリジナル画像データをリサイズした画像データを表示させている前記表示画面にウインドウを表示させ、当該ウインドウを移動させるウインドウ表示制御工程と、
前記ウインドウのサイズを選択するウインドウサイズ選択工程と
を備え、
前記プリント制御工程は、前記プリントサイズ選択制御手段が選択させたプリントサイズに適した前記記憶手段に記憶されている第２のパラメータ群を用いて前記画像変換手段により画調変換された変換画像データのプリント指示を行うとともに、
前記表示制御工程は、前記記憶手段に記憶されている第１のパラメータ群を用いて前記画像変換手段により画調変換された変換画像データを前記表示画面に表示させ、前記ウインドウ表示制御手段により移動され、前記ウインドウサイズ選択手段によりサイズが選択されるウインドウの領域内には前記画調変換手段により変換された変換画像データを表示させ、当該ウインドウの領域外には前記オリジナル画像データをリサイズした画像データを表示させる
ことを特徴とする画像データ変換方法。
【請求項５】
画像処理装置のコンピュータを、
オリジナル画像データを、Ｎ種類の絵画調のうちいずれかの画調の変換画像データに変換する画像変換手段と、
前記画像変換手段がオリジナル画像データを絵画調に画調変換する際に使用されるパラメータ群であって、画像データのＲＧＢ成分に対して設定されている絵画調の種類（ｎ）毎の第１のパラメータ群Ｐ（１）〜Ｐ（ｎ）、及び画像データのＹＭＣＫ成分に対して設定されている絵画調の種類（ｎ）毎、且つサイズ（ｓ）毎の第２のパラメータ群Ｐ（ｓ）（１）〜Ｐ（ｓ）（ｎ）を記憶する記憶手段と、
前記オリジナル画像データをリサイズした画像データを表示画面に表示させる表示制御手段と、
プリントサイズを選択させるプリントサイズ選択制御手段と、
前記画像変換手段により変換された変換画像データをプリントさせるためのプリント制御手段と、
前記オリジナル画像データをリサイズした画像データを表示させている前記表示画面にウインドウを表示させ、当該ウインドウを移動させるウインドウ表示制御手段と、
前記ウインドウのサイズを選択するウインドウサイズ選択手段と
して機能させ、
前記プリント制御手段は、前記プリントサイズ選択制御手段が選択させたプリントサイズに適した前記記憶手段に記憶されている第２のパラメータ群を用いて前記画像変換手段により画調変換された変換画像データのプリント指示を行うとともに、
前記表示制御手段は、前記記憶手段に記憶されている第１のパラメータ群を用いて前記画像変換手段により画調変換された変換画像データを前記表示画面に表示させ、前記ウインドウ表示制御手段により移動され、前記ウインドウサイズ選択手段によりサイズが選択されるウインドウの領域内には前記画調変換手段により変換された変換画像データを表示させ、当該ウインドウの領域外には前記オリジナル画像データをリサイズした画像データを表示させる
ことを特徴とするプログラム。
【発明の詳細な説明】
【技術分野】
【０００１】
本発明は、画像データの画調を変換する技術に関し、特に、インターネットを利用した画像処理装置、画像データ変換方法、プリント受注装置及びプログラムに関する。
【背景技術】
【０００２】
近年、デジタルカメラの普及により、写真は、デジタル画像データとして保存することが一般的となっている。撮影したデジタルカメラで閲覧したり、画像データを取り込んだパーソナルコンピュータ等で閲覧したりすることができるため、写真の楽しみ方にも変化が生じている。例えば、画像処理を加えることで、元の写真をベースとしつつも趣の異なる絵画調等の特定の画調を備えた画像に変換して表示することができるようにした技術（絵画変換技術）も提案されている（例えば、下記特許文献１，２参照）。
【０００３】
また、変換前の画像と変換後の画像を比較できるようにした技術も提案されている（例えば、下記特許文献３参照）。
【０００４】
絵画変換は、画像を構成する各画素を所定の変換アルゴリズムに従い加工することによって、任意の画像に絵画風の画調を確保する技術である。より詳細には、写真等の画像を油絵調、水彩画風、油彩画風、パステル調、色鉛筆画調、クレヨン画調、イラスト画調、点描画調、エアブラシ、シルクスクリーン風、刺繍絵風、コラージュ（糊付け）風等の画調を備えた画像に変換するものである。なお、画調（〜調）は、画風（〜風）と同様の意味であり、画風の方がより絵画的な表現であるが、技術的には相違はない。
【０００５】
絵画変換は、原理的には画像を明るくしたり、シャープにしたり、ソフトにしたりするエフェクト処理と同じであるが、エフェクト処理に際して使用される複数のパラメータの組み合わせが、変換目標とする画調毎に最適化されることによって、より高度な変換が可能となっている。すなわち、画調の種類が１２種類あるとすると、複数のパラメータの組み合わせであるパラメータ群も１２種類用意されている。
【先行技術文献】
【特許文献】
【０００６】
【特許文献１】特開平８−４４８６７号公報
【特許文献２】特開２００４−２１３５９８号公報
【特許文献３】特開２００６−３６０３号公報
【発明の概要】
【発明が解決しようとする課題】
【０００７】
以上のように、絵画変換は、変換目標とする画調に応じて用意されたパラメータ群を用いることにより、より高度な変換が可能となっているが、従来においては、それが、主として変換後の画像を表示画面上で鑑賞することを目的として行われていた。そのため、変換後の画像をプリントする場合に、以下の課題があった。
【０００８】
すなわち、近年においてはプリンタ等による印刷技術の進歩が著しく、絵画変換された画像データをそのままプリントしてもそれなりの画調のプリントを得ることができる。
【０００９】
しかしながら、表示画像である絵画変換された画像データをそのままプリントすると、絵画調の正確な風合いを出しにくい。すなわち、所定の表示サイズ、所定の表示画素数を前提に絵画変換のパラメータを適切化した場合、それを異なったサイズ、異なった画素数でプリントするとパラメータの適切化がくずれる可能性があるという課題があった。
【００１０】
その原因のひとつは、表示用画像データは光の三原色であるＲＧＢ成分で構成されているのに対し、プリント時はＹＭＣＫの色成分でプリントされるからである。
【００１１】
また、他の原因は、表示画面上に表示されている絵画変換された画像データと、実際にプリントする絵画変換された画像データとの画素数が異なっているためである。
【００１２】
本発明は、かかる従来の課題に鑑みてなされたものであり、画像データを端末の表示画面で確認しながら画調変換して任意のサイズでプリントする場合に、より正確な画調でプリントするための画像データが生成可能となる画像処理装置、画像データ変換方法、プリント受注装置及びプログラムを提供することを目的とする。
【課題を解決するための手段】
【００１３】
請求項１記載の発明は、オリジナル画像データを、Ｎ種類の絵画調のうちいずれかの画調の変換画像データに変換する画像変換手段と、前記画像変換手段がオリジナル画像データを画調変換する際に使用されるパラメータ群であって、画像データのＲＧＢ成分に対して設定されている絵画調の種類（ｎ）毎の第１のパラメータ群Ｐ（１）〜Ｐ（ｎ）、及び画像データのＹＭＣＫ成分に対して設定されている絵画調の種類（ｎ）毎、且つサイズ（ｓ）毎の第２のパラメータ群Ｐ（ｓ）（１）〜Ｐ（ｓ）（ｎ）を記憶する記憶手段と、前記オリジナル画像データをリサイズした画像データを表示画面に表示させる表示制御手段と、プリントサイズを選択させるプリントサイズ選択制御手段と、前記画像変換手段により変換された変換画像データをプリントさせるためのプリント制御手段と、前記オリジナル画像データをリサイズした画像データを表示させている前記表示画面にウインドウを表示させ、当該ウインドウを移動させるウインドウ表示制御手段と、前記ウインドウのサイズを選択するウインドウサイズ選択手段とを備え、前記プリント制御手段は、前記プリントサイズ選択制御手段が選択させたプリントサイズに適した前記記憶手段に記憶されている第２のパラメータ群を用いて前記画像変換手段により画調変換された変換画像データのプリント指示を行うとともに、前記表示制御手段は、前記記憶手段に記憶されている第１のパラメータ群を用いて前記画像変換手段により画調変換された変換画像データを前記表示画面に表示させ、前記ウインドウ表示制御手段により移動され、前記ウインドウサイズ選択手段によりサイズが選択されるウインドウの領域内には前記画調変換手段により変換された変換画像データを表示させ、当該ウインドウの領域外には前記オリジナル画像データをリサイズした画像データを表示させることを特徴とする画像処理装置を提供するものである。
【００１４】
請求項２記載の発明は、外部の端末とネットワークを介して接続されるサーバーを含み、前記端末からのプリントの発注要求を受けてオリジナル画像データを絵画調に画調変換し、画調変換後における変換画像データのプリント指示を行うプリント受注装置において、前記オリジナル画像データを受信する受信手段と、Ｎ種類の絵画調のうちいずれかの画調の画調変換データを前記端末に指定させる画調指定手段と、前記端末に表示されているリサイズ画像を前記画調指定手段により指定された絵画調に画調変換する第１の画調変換手段と、前記第１の画調変換手段で画調変換した変換画像データのプリントサイズを前記端末に指定させるサイズ指定手段と、前記オリジナル画像データをリサイズしたリサイズ画像を前記端末の表示画面に表示させるとともに、前記第１の画調変換手段で画調変換された変換画像データを該表示画面に移動可能且つサイズ選択可能にウインドウ表示させ、該ウインドウの領域内には前記画調変換手段により変換された変換画像データを表示させ、当該ウインドウの領域外には前記オリジナル画像データをリサイズした画像データを表示させる表示制御手段と、前記Ｎ種類の絵画調ごとに、且つ、複数のプリントサイズごとに、画像データのＹＭＣＫ成分に対応するパラメータ群を記憶する記憶手段と、前記記憶手段に記憶されたパラメータ群を用いて、前記オリジナル画像データを前記画調指定手段により指定された画調に画調変換する第２の画調変換手段と、前記第２の画調変換手段により画調変換した後の変換画像データのプリント指示を他の装置へ行うプリント制御手段と、を具備したことを特徴とするプリント受注装置を提供するものである。
【００１５】
請求項４記載の発明は、オリジナル画像データを、Ｎ種類の絵画調のうちいずれかの画調の変換画像データに変換する画像変換工程と、前記画像変換手段がオリジナル画像データを絵画調に画調変換する際に使用されるパラメータ群であって、画像データのＲＧＢ成分に対して設定されている絵画調の種類（ｎ）毎の第１のパラメータ群Ｐ（１）〜Ｐ（ｎ）、及び画像データのＹＭＣＫ成分に対して設定されている絵画調の種類（ｎ）毎、且つサイズ（ｓ）毎の第２のパラメータ群Ｐ（ｓ）（１）〜Ｐ（ｓ）（ｎ）を予め記憶する記憶工程と、前記オリジナル画像データをリサイズした画像データを表示画面に表示させる表示制御工程と、プリントサイズを選択させるプリントサイズ選択制御手段と、前記画像変換手段により変換された変換画像データをプリントさせるためのプリント制御工程と、前記オリジナル画像データをリサイズした画像データを表示させている前記表示画面にウインドウを表示させ、当該ウインドウを移動させるウインドウ表示制御工程と、前記ウインドウのサイズを選択するウインドウサイズ選択工程とを備え、前記プリント制御工程は、前記プリントサイズ選択制御手段が選択させたプリントサイズに適した前記記憶手段に記憶されている第２のパラメータ群を用いて前記画像変換手段により画調変換された変換画像データのプリント指示を行うとともに、前記表示制御工程は、前記記憶手段に記憶されている第１のパラメータ群を用いて前記画像変換手段により画調変換された変換画像データを前記表示画面に表示させ、前記ウインドウ表示制御手段により移動され、前記ウインドウサイズ選択手段によりサイズが選択されるウインドウの領域内には前記画調変換手段により変換された変換画像データを表示させ、当該ウインドウの領域外には前記オリジナル画像データをリサイズした画像データを表示させることを特徴とする画像データ変換方法を提供するものである。
【００１６】
請求項５記載の発明は、画像処理装置のコンピュータを、オリジナル画像データを、Ｎ種類の絵画調のうちいずれかの画調の変換画像データに変換する画像変換手段と、前記画像変換手段がオリジナル画像データを絵画調に画調変換する際に使用されるパラメータ群であって、画像データのＲＧＢ成分に対して設定されている絵画調の種類（ｎ）毎の第１のパラメータ群Ｐ（１）〜Ｐ（ｎ）、及び画像データのＹＭＣＫ成分に対して設定されている絵画調の種類（ｎ）毎、且つサイズ（ｓ）毎の第２のパラメータ群Ｐ（ｓ）（１）〜Ｐ（ｓ）（ｎ）を記憶する記憶手段と、前記オリジナル画像データをリサイズした画像データを表示画面に表示させる表示制御手段と、プリントサイズを選択させるプリントサイズ選択制御手段と、前記画像変換手段により変換された変換画像データをプリントさせるためのプリント制御手段と、前記オリジナル画像データをリサイズした画像データを表示させている前記表示画面にウインドウを表示させ、当該ウインドウを移動させるウインドウ表示制御手段と、前記ウインドウのサイズを選択するウインドウサイズ選択手段として機能させ、前記プリント制御手段は、前記プリントサイズ選択制御手段が選択させたプリントサイズに適した前記記憶手段に記憶されている第２のパラメータ群を用いて前記画像変換手段により画調変換された変換画像データのプリント指示を行うとともに、前記表示制御手段は、前記記憶手段に記憶されている第１のパラメータ群を用いて前記画像変換手段により画調変換された変換画像データを前記表示画面に表示させ、前記ウインドウ表示制御手段により移動され、前記ウインドウサイズ選択手段によりサイズが選択されるウインドウの領域内には前記画調変換手段により変換された変換画像データを表示させ、当該ウインドウの領域外には前記オリジナル画像データをリサイズした画像データを表示させることを特徴とするプログラムを提供するものである。
【発明の効果】
【００１８】
本発明によれば、画像データを端末の表示画面で確認しながら画調変換して任意のサイズでプリントする場合に、より正確な画調でプリントするための画像データが生成可能となる。
【図面の簡単な説明】
【００１９】
【図１】本発明を適用したプリント受注装置を含むネットワーク系の構成を示す概念図である。
【図２】画像表示装置を示す外観図及び表示例を示す図である。
【図３】画像表示装置の電気的構成を示したブロック図である。
【図４】画像表示装置のメモリカードに記憶されている画像ファイルの構造を示す概念図である。
【図５】絵画変換処理内容の一例を示す図であって、筆触を表す画素のグループの一例を示す説明図である。
【図６】第１のパラメータテーブルを示す概念図である。
【図７】第２のパラメータテーブルを示す概念図である。
【図８】画像表示装置の動作を示すフローチャートである。
【図９】プリントサイトの動作を示すフローチャートである。
【図１０】（ａ），（ｂ），（ｃ），（ｄ）はプリントサイトによる絵画変換の手順を説明するための画像表示装置での表示状態を示す図である。
【図１１】（ａ）は画像表示装置でウインドウのサイズを変更する場合の説明図、（ｂ）は画像表示装置において、ウインドウ位置を変更したときの状況を説明するための図である。
【発明を実施するための形態】
【００２０】
以下、本発明の実施の形態について図面を参照して説明する。
【００２１】
図１は、本発明を適用したプリント受注装置１を含むネットワーク系の構成を示す概念図である。プリント受注装置１はネットワークサービスサイトを構成するものであり、このプリント受注装置１を含むネットワークサービスサイトをプリントサイトという。プリント受注装置１には、インターネット５００を介して画像表示装置１０１やパーソナルコンピュータ２０１、プリント業者端末３０１が接続される。
【００２２】
プリント受注装置１は、画像表示装置１０１やパーソナルコンピュータ２０１等の端末装置からネットワークを介してアップロードされた画像データを絵画調の画像データに絵画変換し、変換後の画像データを所定のプリント業者へ送り、プリント業者に絵画調の画像（以下、絵画調画像という。）のプリントを発注するネットワークサービスを行うものである。プリント業者端末３０１は、プリント業者が有する端末である。
【００２３】
画像表示装置１０１は、撮影により画像データとして取得した画像を絵画調画像に変換して表示する機能を備えたものであり、例えば携帯電話端末等の任意の情報機器である。図２（ａ）は、画像表示装置１０１を示す外観図である。
【００２４】
画像表示装置１０１の正面には、本体１０２に保持された液晶表示パネル１０３によって構成される表示部が設けられている。この液晶表示パネル１０３には、タッチパネル１０５が一体的に構成されており、指でタッチすることにより操作可能となっている。本体２の前面上部右側には、撮像素子１０６が設けられ、側面には、メモリカードスロット１０７が設けられている。
【００２５】
図３は、画像表示装置１０１の電気的構成を示したブロック図である。画像表示装置１０１は、ＣＰＵ（Central Processing Unit）１１１と、ＣＰＵ１１１に接続されたＲＯＭ（Read Only Memory）１１２と、ＲＡＭ（Random Access memory）１１３と、内部メモリ１１４とを備え、ＲＯＭ１１２には、ＣＰＵ１１１に後述するフローチャートに示す動作を行わせるためのプログラムが記憶されている。また、ＣＰＵ１１１は、写真画像等を絵画調画像に変換する絵画変換エンジン１５１を含んでいる。
【００２６】
ＲＡＭ１１３は、ＣＰＵ１１１が必要に応じて種々のデータを一時的に記憶する作業用のメモリである。内部メモリ１１４は、ハードディスク、またはフラッシュメモリによる大容量不揮発性メモリである。内部メモリ１１４には、後述する第１のパラメータテーブル１１４ａが格納させている。
【００２７】
表示制御部１１５は、ＣＰＵ１１１から供給される表示用の画像データに基づいて液晶表示パネル１０３を駆動することにより、画像や、各種メニューを液晶表示パネル１０３に表示させる。キー入力部制御部１１６は、ＣＰＵ１１１の制御に基づいてタッチパネル１０５の操作信号を入力するものである。
【００２８】
タッチパネル１０５は、静電容量方式、光学方式、抵抗膜方式、表面弾性波方式、超音波方式、電磁誘導方式等様々存在する中から、適宜選択することができる。指紋認証や、静脈認証の機能を組み込むことも可能である。
【００２９】
メモリカードインターフェース１１７は、メモリカードスロット１０７に着脱自在に装着された各種のメモリカード１１９と、ＣＰＵ１１１との間におけるデータの入出力を制御する入出力インターフェースである。
【００３０】
撮像制御部１２０は、撮像素子１０８を駆動して被写体の画像を取り込む制御を行う。ベイヤーデータで取り込まれた画像データは、ＹＵＶ、及びＲＧＢデータに変換後、ＪＰＥＧ（Joint Photographic Experts Group）データに圧縮されて内部メモリ１１４またはメモリカード１１９に記録される。
【００３１】
図４は、メモリカード１１９に記憶されている画像ファイルの構造を示す概念図である。各画像ファイルは、ＥＸＩＦ（Exchangeable Image File Format）等のデータを有するヘッダＧ１と、撮影された画像であり本画像である画像データＧ２と、その画像データＧ２の縮小画像であるサムネイルＧ３の画像データを含む。なお、表示画面の大きさにより、画面に表示すべき縮小画像の大きさが異なるため、サムネイルとは別に表示用のプレビュー画像を作成して記憶しておく場合もある。本実施形態では、プレビュー画像も含めてサムネイルと表現している。
【００３２】
つまり、画像ファイルは、一般的なデジタルカメラのファイルフォーマットに準拠している。したがって、前記メモリカード１１９は、例えばデジタルカメラで撮影した画像の記録使用されているＳＤカードでよく、それをメモリカードスロット１０７に差し込むだけで使用できるようになっている。画像ファイルのフォーマットとしては、ＪＰＥＧ、ＧＩＦ（Graphics Interchange Format）、ＡＶＩ（Audio Video Interleave）、ＰＮＧ（Portable Network Graphics）等種々のフォーマットに適宜対応可能である。
【００３３】
通信制御部１２１は、電話回線４００若しくは無線ＬＡＮ４０１を経由して画像表示装置１０１をインターネット５００に接続し、プリント受注装置１への画像データのアップロードや、メールの送受信や、コンテンツの送受信を含む通信制御を行う。
【００３４】
一方、前記絵画変換エンジン１５１は、例えばＣＰＵ１１１と協働するＡＳＩＣ（Application Specific Integrated Circuit：特定用途向け集積回路）、若しくはＤＳＰ（Digital Signal Processor）、あるいはリコンフィギュラブルＬＳＩ（Ｃ言語等のプログラムによって再構成可能なＬＳＩ）によって構成される。
【００３５】
絵画変換エンジン１５１は、メモリカード１１９に画像データとして記憶されている画像を絵画調画像に変換する絵画変換処理を行い、変換後の絵画調画像を液晶表示パネル１０３に表示する。絵画変換エンジン１５１における絵画変換処理は、所定のパラメータ（絵画変換パラメータ）を用い、所定の変換アルゴリズムに従って画像を構成する各画素を加工する処理である。
【００３６】
絵画変換処理に際して変換目標とする絵画の種類、つまり変換後の画像に確保する画調（画風）は選択可能であり、本実施形態においては、選択可能な画調として油絵調、水彩画風、油彩画風、パステル調、色鉛筆画調、クレヨン画調、イラスト画調、点描画調、エアブラシ、シルクスクリーン風、刺繍絵風、コラージュ（糊付け）風等が用意されている。なお、これに限ることなく、選択可能な画調として、例えばゴッホ調、モネ調、ピカソ調等、画家の特徴を加味した変換の選択を可能としても良い。また、別の画調のアルゴリズムをメモリカード１１９で提供することもできる。
【００３７】
ここで、絵画変換エンジン１５１における絵画変換処理は、既説したように基本的にフォトレタッチソフト等で知られている各種エフェクト処理（フィルター処理）のパラメータを調整・組み合わせて絵画調に見えるように変換する処理である。
【００３８】
また、絵画変換処理で使用されるパラメータは、画素にエフェクト処理をかけるための要素である。すなわち、画素は一般的にＲＧＢ各複数ビットの階調で表現されるが、そのビットデータに演算をかけるための要素である。例えば赤を強調するときにＲ×２、Ｇ×０．９、Ｂ×０．５、のような演算をする場合の前記"２"、"０．９"、"０．５"はパラメータの一種である。あるいは、予め演算要素がプログラミングされており、赤の強調度１のときはＲ×１．１、強調度２のときはＲ×１．２、強調度３のときはＲ×１．３のような演算をする場合の強調度もパラメータの一種である。
【００３９】
また、注目画素と隣接画素の間で所定の演算をかける場合もある。例えば注目画素Ｐ５（ＲＧＢ）を中心に画素Ｐ１（ＲＧＢ）、Ｐ２（ＲＧＢ）、Ｐ３（ＲＧＢ）、Ｐ４（ＲＧＢ）、Ｐ５（ＲＧＢ）、Ｐ６（ＲＧＢ）、Ｐ７（ＲＧＢ）、Ｐ８（ＲＧＢ）、Ｐ９（ＲＧＢ）が上下左右に並んでいるとき、Ｐ５（Ｒ）に対してＰ５（Ｒ）＝Ｐ１（Ｒ）×ｎ１＋Ｐ２（Ｒ）×ｎ２＋Ｐ３（Ｒ）×ｎ３＋Ｐ４（Ｒ）×ｎ４＋Ｐ５（Ｒ）×ｎ５＋Ｐ６（Ｒ）×ｎ６＋Ｐ７（Ｒ）×ｎ７＋Ｐ８（Ｒ）×ｎ８＋Ｐ９（Ｒ）×ｎ９という演算を行い、Ｇ、Ｂについても同様の演算を行う。ｎがパラメータであり、この数値（係数）を変えることにより異なったエフェクト処理ができる。
【００４０】
他にもエフェクト処理の例としては、画像にテクスチャをマッピングし、特殊な質感を与えるテクスチャ処理、画像を輪郭部・細かい模様等のテクスチャ部・平坦部に分類し、それぞれに適宜処理を施すことで、質感と解像感を高める解像度処理がある。また、他のエフェクト処理の例としては、色を色相（Hue）、彩度（Saturation）、明度（Value）の３要素に分類して調整するＨＳＶ処理、画像のＲ（赤）Ｇ（緑）Ｂ（青）各色の度合いを調整するＲＧＢ処理、Ｒ→Ｇ→Ｂの方向に交換するＲＧＢ交換処理、ラプラシアンフィルタと呼ばれるフィルタをかけるエッジ抽出処理がある。
【００４１】
また、エフェクト処理の例としては、メディアンフィルタと呼ばれるフィルタをかける中間濃度抽出処理や、隣接する画素のＲＧＢのヒストグラムを抽出し、画素間のヒストグラムを適宜分布させたり、引き伸ばしたりするコントラスト修正処理、明るい部分と暗い部分を維持して中間的な明るさを調節するガンマ補正処理、画像の暗い領域を明るくしたり、明るい領域を暗くしたりするシャドー処理がある。また、エフェクト処理の例としては、各ピクセルのＲＧＢ値が、しきい値以上の明るさの時に、そのＲＧＢ値を反転するソラリゼーション処理、ランダムにドットを描画し、ノイズを発生させ、ノイズの量や色を調整するノイズ付加処理等がある。
【００４２】
また、エフェクト処理の例としては、変換後の画像に特定のタッチ（筆触）を確保する処理もある。具体的には、画像データを構成する画素から、色等を基準として相関の高い画素を集め、グループを形成する。続いて、それぞれのグループの画素に対して、同一のグループの画素については色を該グループの代表色に置き換える。こうして色を代表色に置き換えられた画素のグループがそれぞれの筆触を形成する。かかる画像加工処理によると、グループとして集められる画素の相関の取り方、及び同一の色（代表色）の画素により構成されるグループの形状（長さ（距離）、扁平度）を変化させることによって、形成される筆触を変化させることができ、結果的に、画像データが表す画像の画調を様々な絵画調に変更することができる。
【００４３】
複数の画像データの各々を異なる筆触に変更することは、画調を変更する際に、筆触を構成する画素を集めたグループの形状、例えば、グループの扁平度を調整することによって実現できる。筆触を表す同一の色の画素によって構成されるグループの扁平度を大きくすると、筆触は太くなり、結果として画像のタッチは荒く表示される。同一の色の画素によって構成されるグループの扁平度を小さくすると、小さな筆触を作り出すことができ、結果として、画像のタッチが細かく表示される。
【００４４】
図５に、このようにして生成される筆触を表す画素のグループの一例を示す。例えば、図５（ａ）に示すように、筆触を表す同一の色の画素によって構成されるグループの扁平度を大きくすると、筆触は太くなり、結果として画像のタッチは荒く表示される。図５（ｃ）に示すように、同一の色の画素によって構成されるグループの扁平度を小さくすると、小さな筆触を作り出すことができ、結果として、画像のタッチが細かく表示される。図５（ｂ）に示すグループは標準的な筆触を表している。
【００４５】
上記のように特定のタッチ（筆触）を確保するためのエフェクト処理における画素の相関度、グループの形状を表す長さ、扁平度等も、前述した他のエフェクト処理で使用される他のパラメータと同様、絵画変換処理に際して使用されるパラメータの一種である。
【００４６】
そして、上述した種々のエフェクト処理に必要となる複数のパラメータ（絵画変換パラメータ）の適切な組み合わせを示す情報が、前記内部メモリ１１４に第１のパラメータテーブル１１４ａとして記憶されている。ここで、複数のパラメータの適切な組み合わせとは、絵画変換処理後の画像データが表示用であり、各エフェクト処理を画像データのＲＧＢ成分を対象として行った場合において変換目標の画調を得ることができる組合せである。
【００４７】
図６は、内部メモリ１１４に格納されている第１のパラメータテーブル１１４ａを便宜的に示した概念図である。図６に示したように第１のパラメータテーブル１１４ａは、複数種の画調１〜ｎに対応した複数のパラメータ群Ｐ（１）〜Ｐ（ｎ）が記述されたものであり、各々のパラメータ群Ｐ（１）〜Ｐ（ｎ）を構成する複数のパラメータの値が、異なる画調に対応して予め設定されている。なお、以下の説明においては、図６に示した各々のパラメータ群Ｐ（１）〜Ｐ（ｎ）を第１のパラメータ群と呼ぶこととする。
【００４８】
そして、画像表示装置１０１においては、ＣＰＵ１１１がＲＯＭ１１２に記憶されているプログラムに従い動作することにより、メモリカード１１９に記憶されている画像を液晶表示パネル１０３上に一覧表示する際には、オリジナル画像のサムネイルと共に、それを絵画変換した状態のサムネイル（絵画調画像）が表示できるよう構成されている。
【００４９】
図２（ｂ）は、その場合における液晶表示パネル１０３の表示例を示す図である。この例は１枚のサムネイルと３枚の絵画調画像との計４枚の画像を液晶表示パネル１０３において行方向に表示する場合のものである。すなわち、液晶表示パネル１０３には、左端に「サムネイル１」〜「サムネイル４」が列方向に表示されるとともに、「サムネイル１」に対応してその絵画調画像である「油絵調１」、「水彩画調１」、「パステル画調１」が行方向に表示される。また、他の「サムネイル２」〜「サムネイル４」も同様であって、各々に対応した絵画調画像である「油絵調２」〜「油絵調４」、「水彩画調２」〜「水彩画調４」、「パステル画調２」〜「パステル画調４」が行方向に表示される。
【００５０】
係る表示に際しては、前記絵画変換エンジン１５１が「サムネイル１」〜「サムネイル４」に対して絵画変換処理を施すことによって「油絵調１」〜「油絵調４」、「水彩画調１」〜「水彩画調４」、「パステル画調１」〜「パステル画調４」がそれぞれ生成される。
【００５１】
なお、ここでは、液晶表示パネル１０３に表示する縮小画像を、先に図４に示したＥＸＩＦ規格に従いサムネイルと表現するが、サムネイルとは、要は本画像を一覧表示用にリサイズした画像のことである。また、プリントサイトにアップロードした画像のことをオリジナル画像と表現する。すなわち、リサイズされた画像に対する元の大きさの画像のことを本画像と表現し、最初にアップロードされて、絵画変換等の画像処理を行う前の画像のことをオリジナル画像と表現する。
【００５２】
また、液晶表示パネル１０３にサムネイルが一覧表示されているときには、ＣＰＵ１１１によって、液晶表示パネル１０３には、下ページ送りボタン１３１、右ページ送りボタン１３２、上ページ送りボタン１３３及び左ページ送りボタン１３４を表示される。
【００５３】
この状態では、表示中の画像群を、ユーザが指によるタッチスライド操作、もしくは下ページ送りボタン１３１のタッチ操作によって下方向へスクロールすることも（矢印Ｙ）、右ページ送りボタン１３２のタッチ操作によって右方向へスクロールすることも（矢印Ｘ）できる。
【００５４】
そして、例えば液晶表示パネル１０３のタッチ操作に伴い画面が下方向へスクロールするときには、ＣＰＵ１１によってメモリカード１１９から読み出された新たなサムネイルが液晶表示パネル１０３に表示され、同時に新たなサムネイルから絵画変換エンジン１５１によって生成された新たな絵画調画像が液晶表示パネル１０３に表示される。
【００５５】
また、図２（ｃ）は、液晶表示パネル１０３に、例えば図２（ｂ）で示されたサムネイルの１つを全画面表示したときの表示例を示す図である。すなわち、図中１０４は、この画像表示装置１０１において、絵画調画像のプリントを注文する際に、例えば８００画素×６００画素の画像を表示する画像表示領域であり、それ以外の部分は、各種の操作ボタン類を適宜表示するタッチパネル１０５として機能するようになっている。
【００５６】
なお、オリジナル画像の画素数は撮影したデジタルカメラ等に依存するが、ＸＧＡ（１０２４×７６８）、ＳＸＧＡ（１２８０×１０２４）、ＵＸＧＡ（１６００×１２００）、ＱＸＧＡ（２０４８×１５３６）・・・等があり、１０００万画素以上のデジタルカメラでは４０００×３０００画素以上である。したがって、図２（ｃ）に示した全画面表示は、例えば予め８００×６００画素のプレビュー画像を用意しておくか、表示時点でオリジナル画像を縮小することによって行われる。
【００５７】
一方、図１に示したように、前記プリント受注装置１は、主としてコンテンツサーバー２と、画像表示サーバー３と、絵画変換サーバー４とを備えている。
【００５８】
コンテンツサーバー２は、前記画像表示装置１０１等から受信した画像データを記憶したり、絵画調画像のデータを前述したプリント業者端末３０１へ送ることによって、プリント業者へプリントを発注したりする。
【００５９】
画像表示サーバー３は、このプリント受注装置１内で絵画変換処理を行う場合のユーザとの間のインターフェース処理を行うためのものである。すなわち、絵画調の種類、後述する切り出しサイズ、及び切り出し位置の設定に関する処理や、プリントサイズの選択等をガイドするための画面表示を行う。
【００６０】
絵画変換サーバー４は、前記画像表示装置１０１が有する絵画変換エンジン１５１と同様の機能を備えたサーバーである。ただし、絵画変換サーバー４においては、それを構成する図示しないＲＯＭやハードディスク等の任意の記憶手段に、前述した第１のパラメータテーブル１１４ａ（図６参照）とは異なる第２のパラメータテーブル４ａが格納されている。
【００６１】
図７は、第２のパラメータテーブル４ａを便宜的に示した概念図である。図７に示したように第２のパラメータテーブル４ａには、プリントサイズやプリント媒体を示すＥ版（ｓ１）〜ポスター（ｓ１１）・・・に対応して、画調の種類である油絵調（ｎ１）、水彩画調（ｎ２）、パステル調（ｎ３）、クレヨン画調（ｎ４）・・・毎に予め設定されている適切なパラメータ群Ｐ（ｓ）（ｎ）が記述されている。ここで、パラメータ群Ｐ（ｓ１）（ｎ１）は、プリントサイズがＥ版（ｓ１）であって油絵調（ｎ１）に絵画変換する際の適切なパラメータ群であり、パラメータ群Ｐ（ｓ１１）（ｎ４）は、プリントサイズがポスター（ｓ１１）であってクレヨン画調（ｎ４）に絵画変換する際の適切なパラメータ群である。以下の説明においては、このパラメータ群を第２のパラメータ群と呼ぶことにより、前記画像表示装置１０１で使用される前述した第１のパラメータ群と区別する。
【００６２】
また、係る第２のパラメータ群は、前記画像表示装置１０１で使用される第１のパラメータ群とは異なり、画像データのＹＭＣＫ成分に対して設定されたものである。つまり第２のパラメータ群は、画像データのＹＭＣＫ成分を対象として種々のエフェクト処理を行った場合において変換目標の画調を得ることができる複数のパラメータの最適な組合せである。
【００６３】
なお、図示しないが、絵画変換サーバー４には、前記画像表示装置１０１で使用されるものと同様の第１のパラメータ群が記述された他のパラメータテーブルも格納されている。また、図１に示したプリント受注装置１が有する各サーバーは、各々が主として高性能のＣＰＵから構成される制御手段、及びＣＰＵに後述する所定の処理を行わせるプログラムが記憶された不揮発性の記憶手段等を備えたものである。また、図１に示したプリント受注装置１の構成は一例に過ぎず、後述する各サーバーの機能が確保できれば任意の構成に変更可能である。
【００６４】
次に、ユーザがプリント受注装置１を利用して任意の絵画調画像のプリントを注文する場合の本実施の形態における画像表示装置１０１とプリント受注装置１の動作について、図８、及び図９に示すフローチャートに従って説明する。
【００６５】
まず、画像表示装置１０１側の動作について説明する。図８は、主としてＣＰＵ１１１の処理手順を示したフローチャートである。図８に示したようにＣＰＵ１１１は、メモリカード１１９から、所定の操作によってユーザに指定された本画像の画像データ（以下、オリジナル画像データという。）を読み込んで（ステップＳ１０１）、液晶表示パネル１０３に表示する（ステップＳ１０２）。引き続き、ＣＰＵ１１１は、例えば所定の画調選択画面を液晶表示パネル１０３に表示することにより、ユーザに希望する画調を選択させた後（ステップＳ１０３）、選択された画調に対応する第１のパラメータ群を第１のパラメータテーブル１１４ａから読み込む（ステップＳ１０４）。そして、ＣＰＵ１１１は、読み込んだ第１のパラメータ群で本画像を絵画変換し（ステップＳ１０５）、変換後の絵画調画像を液晶表示パネル１０３に表示する（ステップＳ１０６）。
【００６６】
ここで、第１のパラメータ群は、先に述べたように画像データのＲＧＢ成分に対して設定されているものであり、液晶表示パネル１０３に表示する絵画調画像の生成に適したものである。これにより希望の画調に適正に変換された絵画調画像を液晶表示パネル１０３に表示することができ、ユーザはこれを観賞することができる。
【００６７】
次に、ＣＰＵ１１１は、液晶表示パネル１０３に表示されている絵画調画像のプリント指示がユーザからあったか否かを判断する（ステップＳ１０７）。プリント指示があったならば、ＣＰＵ１１１は、当該絵画調画像の元データ、つまりステップＳ１０１で読み込んだオリジナル画像データを、インターネット５００を介してプリント受注装置１にアップロードする（ステップＳ１０８）。
【００６８】
一方、プリント受注装置１側では、図９のフローチャートに示すように、コンテンツサーバー２が、画像表示装置１０１からアップロードされたオリジナル画像データを受信し、それを一時保存する（ステップＳ２０１）。そして、画像表示サーバー３が、この受信したオリジナル画像データに基づく本画像を、画像表示装置１０１（液晶表示パネル１０３）の画像表示領域１０４に対応する所定サイズ（例えば８００×６００画素）にリサイズして画像表示装置１０１に送信し、画像表示装置１０１においてリサイズ後の画像を表
【００６９】
引き続き、画像表示サーバー３が、本画像を表示している画像表示装置１０１の表示画面中に、図１０、及び図１１に示すウインドウ枠７０２（ウインドウ）を絵画変換設定領域として表示させる（ステップＳ２０３）。このウインドウ枠７０２は、ユーザが液晶表示パネル１０３へのタッチ操作により前記画像表示領域１０４内において自由に移動させることができるものであり、画像表示サーバー３は、ユーザのタッチ操作に応じてウインドウ枠７０２を前記画像表示領域１０４内において移動させる（ステップＳ２０４）。
【００７０】
また、画像表示サーバー３は、前記画像表示領域１０４内にウインドウ枠７０２を表示している間、図１０（ａ）に示すように、そのウインドウサイズを大、中、小のいずれかのサイズに変更するためのサイズ変更ボタン７０４を画像表示領域１０４外に表示する。そして、ユーザにより大、中、小のいずれかのサイズ変更ボタン７０４がタッチされたら、ウインドウサイズを変更する（ステップＳ２０５）。変更後のウインドウサイズは、例えば大を示すサイズ変更ボタン７０４がタッチされたときには４８０×３６０画素であり、中を示すサイズ変更ボタン７０４がタッチされたときには３２０×２４０画素であり、小を示すサイズ変更ボタン７０４がタッチされたときには１６０×１２０画素である。
【００７１】
また、画像表示サーバー３は、前記画像表示領域１０４内にウインドウ枠７０２を表示している間、ユーザに、変換すべき画調として所望の画調を選択させる（ステップＳ２０６）。なお、その際には、例えばユーザが液晶表示パネル１０３上で指を右方向へスライドさせれば画調を順送りで変更でき、指を左方向へスライドさせれば画調を逆送りで変更でき、かつ液晶表示パネル１０３上の任意の位置を短時間（０．５秒間等）内に２回タッチすれば画調を決定できるようにする。
【００７２】
そして、ユーザによって画調が選択（決定）されると、絵画変換サーバー４が、直ちにオリジナル画像データの絵画変換を行う（ステップＳ２０７）。このとき絵画変換サーバー４は、前記オリジナル画像データをリサイズした８００×６００画素の画像データを対象として、それをユーザによって選択された画調を備えた絵画調画像データに変換する。このとき、絵画変換サーバー４は第１のパラメータ群を用いた絵画変換を行う。
【００７３】
これに伴い、画像表示サーバー３が、前記画像表示領域１０４においてウインドウ枠７０２の中のみを変換後の画像データに切り替えて表示し、ウインドウ枠７０２の外側はオリジナル画像データ（リサイズ後の画像データ）をそのままの状態で表示する（ステップＳ２０８）。つまり、ウインドウ枠７０２内のみを絵画調画像とした表示画像を画像表示領域１０４に表示させる。
【００７４】
ここで、ステップＳ２０８における上記表示画像の具体的な表示方法については任意であるが、例えば絵画変換されていない画像の第１のレイヤーと、絵画変換された画像の第２のレイヤーとを用意しておき、ウインドウ枠７０２外は第１のレイヤーを選択してオリジナル画像を表示させ、ウインドウ枠７０２内のみ第２のレイヤーを選択して絵画調画像を表示させることにより実現される。なお、その場合、上記第１のレイヤーのオリジナル画像と上記第２のレイヤーの絵画調画像とからなる表示画像は、画像表示サーバー３側で生成してもよいし、各レイヤーの画像データを画像表示装置１０１へ送ることによって、画像表示装置１０１側において生成させても構わない。
【００７５】
このようにすると、ユーザは図１０（ｃ）または同図（ｄ）、さらに図１１（ｂ）から明らかなように、オリジナル画像を絵画変換した状態を一目で把握でき、所望の部位を指定して所要の絵画調の画像を得ることができる。
【００７６】
その後、プリント受注装置１においては、ユーザによって画調、及び絵画変換設定領域（ウインドウのサイズと位置）が確定されるまで（ステップＳ２０９：ＮＯ）、ステップＳ２０４〜ステップＳ２０８を繰り返す。すなわちユーザの操作に応じて画調の種類や、ウインドウ枠７０２のサイズ、位置を何度でも繰り返し変更する。なお、ユーザによる画調、及び絵画変換設定領域の確定操作は、例えば液晶表示パネル１０３上に円を描くようなタッチ操作等の予め決められたタッチ操作である。
【００７７】
ここで、オリジナル画像データのサイズは４０００×３０００画素と大きく、これに対して絵画変換処理を行うと時間がかかるが、ステップＳ２０７では表示用にリサイズされた画像を処理対象とするため短時間で変換を行うことができる。
【００７８】
そして、プリント受注装置１においては、画調、及び絵画変換設定領域が確定されると（ステップＳ２０９：ＹＥＳ）、画像表示サーバー３が、所定のサイズ選択用の画面を画像表示装置１０１の表示画面上に表示させて、ユーザに、プリントサイズとして、予め決められている中から所望のサイズを決定させる（ステップＳ２１０）。プリントサイズとしては、Ｅ版、Ｌ版、はがき、２Ｌ、キャビネ等（図７参照）である。
【００７９】
その後、上記の決定が行われると、コンテンツサーバー２が、ユーザによって指示されたオリジナル画像データから、前記ウインドウ枠７０２に対応する絵画変換設定領域を切り出す（ステップＳ２１１）。しかる後、絵画変換サーバー４が、図７に示した第２のパラメータテーブル４ａに記述されている第２のパラメータ群Ｐ（ｓ）（１）〜Ｐ（ｓ）（ｎ）のいずれかであって、ユーザによって指示された画調、及びプリントサイズに応じたプリント用の第２のパラメータ群を用いて、切り出された画像データの絵画変換を行う（ステップＳ２１２）。すなわち、切り出された画像データをＮ種類のうちのいずれかの画調を備えた画像データに変換する。
【００８０】
このときステップＳ２１２では、表示画面上でユーザが選択したウインドウ枠７０２のサイズが中の３２０×２４０画素であったとすると、オリジナル画像データは４０００×３０００画素であるから、実際には表示画面上で見た目と同じ領域の１６００×１２００画素の画像データについて絵画変換処理を行うことになる。そして選択されたプリントサイズがはがきサイズであるとすると、この１６００×１２００画素の画像データをはがきサイズにプリントするための処理を行うことになる。その場合、図６に示した例では、はがきサイズに応じたパラメータはｓ３であるから、選択された画調がクレヨン調ｎ４であるとすると、ステップＳ２１２で使用される第２のパラメータ群はＰ（ｓ３）（ｎ４）となる。
【００８１】
しかる後、コンテンツサーバー２が、ステップＳ２１１で絵画変換サーバー４により絵画変換された後の絵画調画像のデータを、プリント業者端末３０１へ送り、プリント業者へプリントを発注する（ステップＳ２１３）。つまり、プリント業者が有するプリンタに絵画調画像をプリントさせる。これに伴い、プリント業者が有するプリンタによってプリントアウトされた絵画調画像が、郵送等のオフラインでユーザに送付されることとなる。
【００８２】
以上説明したように、本実施態様においては、プリント受注装置１においてプリント用の画像データが生成される際、オリジナル画像データに対し、画像データのＹＭＣＫ成分に対して設定されている画調の種類（ｎ）毎、且つサイズ（ｓ）毎の第２のパラメータ群（ｓ）（１）〜Ｐ（ｓ）（ｎ）を用いた絵画変換が行われる。したがって、任意の画像データを絵画変換して任意のサイズでプリントする場合に、より正確な画調でプリントするための画像データの生成が可能である。
【００８３】
しかも、本実施形態においては、画像表示装置１０１のユーザが画像データのプリントを注文する際には、プリント受注装置１の画像表示サーバー３が、画像表示装置１０１の表示画面に移動可能なウインドウ枠７０２を表示させ、ウインドウ枠７０２の中のみを絵画変換後の画像データに切り替えて表示し、ウインドウ枠７０２の外側はオリジナル画像データをそのままの状態で表示する。
【００８４】
そのため、ユーザにあっては、画像データのプリントを注文する前に、サイズ、絵画変換する画像上の領域、画調の種類などを色々試してみることができ、オリジナル画像の画像データのどの領域を、どのサイズで、どの画調に変換したらよいかを容易に決めることができる。
【００８５】
ここで、本実施形態においては、プリント用の画像データとして、オリジナル画像データを絵画調に変換した画像データを得る場合を例にとって説明したが、変換すべき画調（画風）は絵画調以外の画調であっても構わない。
【００８６】
また、本実施形態においては、画像表示装置１０１等の端末がアクセス可能であり、端末から受信した画像データを特定の画調を備えた画像データに変換するプリント受注装置１に本発明を適用した場合について説明したが、これとは別に、本発明は画像表示装置１０１に適用することもできる。その場合には、例えば画像表示装置１０１が有する内部メモリ１１４に、第１のパラメータテーブル１１４ａ（図６）を構成する第１のパラメータ群と共に、第２のパラメータテーブル４ａ（図７）を構成する第２のパラメータ群を記憶しておく。そして、ＲＯＭ１１２に所定のプログラムを記憶しておき、そのプログラムに従い、プリント受注装置１におけるコンテンツサーバー２や画像表示サーバー３と同様の処理をＣＰＵ１１１に行わせるようにすればよい。
【００８７】
また、本実施形態においては、プリント受注装置１が、絵画変換後の画像データをプリント業者端末３０１へ送り、プリント業者に絵画調画像のプリントを発注するもの、つまりプリント業者に実際のプリント作業を行わせるものである場合について説明した。しかし、プリント受注装置１は、絵画調画像をプリントするためのプリンタを備え、変換後の絵画調画像を実際にプリントする構成であっても構わない。
【００８８】
以上、本発明の実施形態、及びその変形例について説明したが、これらは本発明の作用効果が得られる範囲内であれば適宜変更が可能であり、変更後の実施形態も特許請求の範囲に記載された発明、及びその発明と均等の発明の範囲に含まれる。以下に、本出願の特許請求の範囲に記載された発明を付記する。
［請求項１］
ネットワークを介して外部の端末装置から接続可能な画像処理装置であって、前記外部の端末装置からネットワークを介して送信されたオリジナル画像データを受信する受信手段と、前記受信手段で受信したオリジナル画像データを、Ｎ種類の画調のいずれかを備えた変換画像データに変換する画像変換手段と、前記画像変換手段がオリジナル画像データを画調変換する際に使用されるパラメータ群であって、画像データのＲＧＢ成分に対して設定されている画調の種類（ｎ）毎の第１のパラメータ群Ｐ（１）〜Ｐ（ｎ）、及び画像データのＹＭＣＫ成分に対して設定されている画調の種類（ｎ）毎、且つサイズ（ｓ）毎の第２のパラメータ群Ｐ（ｓ）（１）〜Ｐ（ｓ）（ｎ）を記憶する記憶手段と、前記オリジナル画像データをリサイズした画像データを前記端末装置に表示させる表示制御手段と、前記端末装置にプリントサイズを選択させるプリントサイズ選択制御手段と、前記画像変換手段により変換された変換画像データをプリントさせるためのプリント制御手段と、を備え、前記表示制御手段は、前記記憶手段に記憶されている第１のパラメータ群を用いて前記画像変換手段により画調変換された変換画像データを前記端末装置に表示させ、前記プリント制御手段は、前記プリントサイズ選択制御手段が選択させたプリントサイズに対応する前記記憶手段に記憶されている第２のパラメータ群を用いて前記画像変換手段により画調変換された変換画像データのプリント指示を行う、ことを特徴とする画像処理装置。
［請求項２］
前記表示制御手段は、前記オリジナル画像データをリサイズした画像データを表示させている前記端末装置の表示画面にウインドウを表示させ、当該ウインドウを前記端末装置からの要求に応じ移動させるウインドウ表示制御手段と、前記ウインドウのサイズを前記端末装置からの要求に応じて選択するウインドウサイズ選択手段とを含み、前記画像変換手段に変換させる画調を前記端末装置からの要求に応じて前記Ｎ種類の中から選択する画調選択手段と、前記オリジナル画像データから前記ウインドウに対応する領域を切り出す切り出し手段と、を更に備え、前記画調変換手段は、前記切り出し手段により前記オリジナル画像データから切り出された切り出し画像データを前記第２のパラメータを用いて画調変換することを特徴とする請求項1記載の画像処理装置。
［請求項３］
前記表示制御手段は、前記端末装置の表示画面における前記ウインドウの領域内には前記画調変換手段により変換された変換画像データを表示させ、前記端末装置の表示画面における前記ウインドウの領域外には前記オリジナル画像データをリサイズした画像データを表示させることを特徴とする請求項２記載の画像処理装置。
［請求項４］
外部の端末とネットワークを介して接続されるサーバーを含み、前記端末からのプリントの発注要求を受けてオリジナル画像データを画調変換し、画調変換後における変換画像データのプリント指示を行うプリント受注装置において、前記オリジナル画像データを受信する受信手段と、前記受信手段で受信したオリジナル画像データをリサイズしたリサイズ画像を前記端末に表示させる表示制御手段と、前記リサイズ画像を元にプリントサイズを前記端末に指定させるサイズ指定手段と、前記Ｎ種類の画調のうちいずれかを前記端末に指定させる画調指定手段と、前記端末に表示されているリサイズ画像を画調指定手段により指定された画調に画調変換する第１の画調変換手段と、前記Ｎ種類の画調ごとに、且つ、複数のプリントサイズごとに、画像データのＹＭＣＫ成分に対応するパラメータ群を記憶する記憶手段と、前記記憶手段に記憶されたパラメータ群を用いて、前記オリジナル画像データを前記画調指定手段により指定された画調に画調変換する第２の画調変換手段と、前記第２の画調変換手段により画調変換した後の変換画像データのプリント指示を他の装置へ行うプリント制御手段と、を具備したことを特徴とするプリント受注装置。
［請求項５］
前記表示制御手段は、前記端末の画面上に表示させたリサイズ画像の一部の領域を指定する領域指定手段を備えていることを特徴とする請求項４記載のプリント受注装置。
［請求項６］
前記第１の画調変換手段は、前記領域指定手段により指定された領域内のみ画調変換することを特徴とする請求項５記載のプリント受注装置。
［請求項７］
前記第２の画調変換手段は、前記オリジナル画像データについて、そのリサイズ画像の前記領域指定手段により指定された領域に対応する領域のみ画調変換することを特徴とする請求項５記載のプリント受注装置。
［請求項８］
前記領域指定手段は、当該領域の位置を移動可能であることを特徴とする請求項５記載のプリント受注装置。
［請求項９］
前記領域指定手段は、当該領域の大きさを変更可能であることを特徴とする請求項５記載のプリント受注装置。
［請求項１０］
端末とネットワークを介して接続されるサーバーを含み、前記端末からのプリントの発注要求を受けてオリジナル画像データを画調変換し、画調変換後における変換画像データのプリント指示を行うプリント受注装置において、オリジナル画像データを受信し、受信したオリジナル画像データをリサイズしたリサイズ画像を前記端末に表示させ、プリントサイズを前記端末に指定させ、端末に表示されているリサイズ画像の画調を第１のパラメータに基づいて変換し、オリジナル画像データを前記リサイズ画像の変換画調と同じ画調に第２のパラメータに基いて変換し、変換した後のオリジナル画像データのプリント指示を行う、ことを特徴とするプリント受注方法。
［請求項１１］
オリジナル画像データを、表示に適した第１のパラメータを用いて特定の画調を備えた変換画像データに変換する工程と、前記変換画像データに基づく変換画像を表示する工程と、プリントサイズを選択する工程と、前記選択したプリントサイズでのプリントに適した第２のパラメータを用い、前記オリジナル画像データを前記選択したプリントサイズで特定の画調を備えた変換画像データに変換する工程と、を含むことを特徴と画像データ変換方法。
［請求項１２］
前記第１のパラメータは、画調の種類に応じてテーブルとして保持されており、前記第２のパラメータは、画調の種類とプリントサイズとに応じてテーブルとして保持されていることを特徴とする請求項１１記載の画像データ変換方法。
［請求項１３］
前記第１のパラメータは、画像データのＲＧＢ成分に対応して設定されており、前記第２のパラメータは、画像データのＹＭＣＫ成分に対応して設定されていることを特徴とする請求項１２記載の画像データ変換方法。
［請求項１４］
オリジナル画像データを、Ｎ種類の画調毎に設定されている第１のパラメータ群Ｐ（１）〜Ｐ（ｎ）のいずれかを用いてＮ種類の画調のいずれかを備えた変換画像データに変換し、表示画面に表示する画像処理装置において、前記変換画像データに確保する画調を決定する画調決定手段と、前記オリジナル画像データをリサイズするリサイズ手段と、前記リサイズ手段によるリサイズ後の画像データを、前記第１のパラメータ群Ｐ（１）〜Ｐ（ｎ）のうちで前記画調決定手段が決定された画調に対応して設定されているパラメータ群を用いて画調変換する第１の画調変換手段と、前記表示画面に前記リサイズ手段によるリサイズ後の画像データを表示し、当該画像データの表示領域内にウインドウを表示するウインドウ表示手段と、前記ウインドウの位置を移動するウインドウ位置制御手段と、前記ウインドウのサイズを変更するウインドウサイズ制御手段と、前記表示画面における前記ウインドウの領域内には前記第１の画調変換手段により画調変換された画像データを表示し、前記表示画面における前記ウインドウの領域外には前記リサイズ手段によるリサイズ後の画像データを表示する表示制御手段と、前記オリジナル画像データから前記ウインドウに対応する領域を切り出す切り出し手段と、プリントサイズを決定するプリントサイズ決定手段と、前記Ｎ種類の画調ごとに、且つプリントサイズごとに設定されたプリント用の第２のパラメータ群Ｐ（ｓ）（１）〜Ｐ（ｓ）（ｎ）を記憶する記憶手段と、前記切り出し手段により切り出された画像データを、前記記憶手段に記憶されている前記画調決定手段が決定した画調、及び前記プリントサイズ決定手段が決定したプリントサイズに対応する第２のパラメータ群を用いて画調変換する第２の画調変換手段と、を具備したことを特徴とする画像処理装置。
［請求項１５］
コンピュータを、受信手段がネットワークを介して外部の端末装置から受信したオリジナル画像データを、Ｎ種類の画調のいずれかを備えた変換画像データに変換する画像変換手段と、前記オリジナル画像データをリサイズした画像データ、及び画像データのＲＧＢ成分に対して設定され記憶手段に記憶されている画調の種類（ｎ）毎の第１のパラメータ群Ｐ（１）〜Ｐ（ｎ）のいずれかを用いて前記画像変換手段により画調変換された変換画像データを前記端末装置に表示させる表示制御手段と、前記端末装置にプリントサイズを選択させるプリントサイズ選択制御手段と、画像データのＲＧＢ成分に対して設定され記憶手段に記憶されている画調の種類（ｎ）毎、且つサイズ（ｓ）毎の第２のパラメータ群（ｓ）（１）〜Ｐ（ｓ）（ｎ）のうちで、前記プリントサイズ選択制御手段が前記端末装置に選択させたプリントサイズに対応する第２のパラメータ群を用いて前記画像変換手段により変換された変換画像データを、他の装置にプリントさせるためのプリント制御手段と、して機能させることを特徴とするプログラム。
［請求項１６］
コンピュータに、オリジナル画像データを、Ｎ種類の画調毎に設定されている第１のパラメータ群Ｐ（１）〜Ｐ（ｎ）のいずれかを用いてＮ種類の画調のいずれかを備えた変換画像データに変換し、表示画面に表示する際、前記変換画像に確保する画調を決定する画調決定手段と、前記オリジナル画像データをリサイズするリサイズ手段と、前記リサイズ手段によるリサイズ後の画像データを、前記第１のパラメータ群Ｐ（１）〜Ｐ（ｎ）のうちで前記画調決定手段が決定された画調に対応して設定されているパラメータ群を用いて画調変換する第１の画調変換手段と、前記表示画面に前記リサイズ手段によるリサイズ後の画像データを表示し、当該画像データの表示領域内にウインドウを表示するウインドウ表示手段と、前記ウインドウの位置を移動するウインドウ位置制御手段と、前記ウインドウのサイズを変更するウインドウサイズ制御手段と、前記表示画面における前記ウインドウの領域内には前記第１の画調変換手段により画調変換された画像データを表示し、前記表示画面における前記ウインドウの領域外には前記リサイズ手段によるリサイズ後の画像データを表示する表示制御手段と、前記オリジナル画像データから前記ウインドウに対応する領域を切り出す切り出し手段と、プリントサイズを決定するプリントサイズ決定手段と、前記Ｎ種類の画調ごとに、且つプリントサイズごとに設定されたプリント用の第２のパラメータ群Ｐ（ｓ）（１）〜Ｐ（ｓ）（ｎ）を記憶する記憶手段と、前記切り出し手段により切り出された画像データを、前記記憶手段に記憶されている前記画調決定手段が決定した画調、及び前記プリントサイズ決定手段が決定したプリントサイズに対応する第２のパラメータ群を用いて画調変換する第２の画調変換手段と、して機能させることを特徴とするプログラム。
【符号の説明】
【００８９】
１    プリント受注装置
２    コンテンツサーバー
３    画像表示サーバー
４    絵画変換サーバー
４ａ    第２のパラメータテーブル
１０１    画像表示装置
１０２    本体
１０３    液晶表示パネル
１０４    画像表示領域
１０５    タッチパネル
１０６    撮像素子
１０７    メモリカードスロット
１０８    撮像素子
１１１    ＣＰＵ
１１２    ＲＯＭ
１１３    ＲＡＭ
１１４    内部メモリ
１１４ａ    第１のパラメータテーブル
１１５    表示制御部
１１６    キー入力部制御部
１１７    メモリカードインターフェース
１１９    メモリカード
１２０    撮像制御部
１２１    通信制御部
１５１    絵画変換エンジン
２０１    パーソナルコンピュータ
３０１    プリント業者端末
４００    電話回線
４０１    無線ＬＡＮ
５００    インターネット
７０２    ウインドウ枠
７０４    サイズ変更ボタン
【図１】
0005229360.tif 000002
【図２】
0005229360.tif 000003
【図３】
0005229360.tif 000004
【図４】
0005229360.tif 000005
【図５】
0005229360.tif 000006
【図６】
0005229360.tif 000007
【図７】
0005229360.tif 000008
【図８】
0005229360.tif 000009
【図９】
0005229360.tif 000010
【図１０】
0005229360.tif 000011
【図１１】
0005229360.tif 000012